(57)【要約】  【課題】  様々な厚み寸法または横寸法の冊子に対応することができ、常に冊子にフィットさせることができて弛みの発生を防止することができる冊子カバーを提供する。  【解決手段】  冊子の表表紙及び裏表紙の何れか一方Ｓ１の端縁が当接される固定折り返し部１２ａが一側端部に形成され、冊子の表表紙及び裏表紙の何れか他方Ｓ２の端縁が当接される可変折り返し部１２ｂが他側端部に形成された本体シート１２と、可変折り返し部１２ｂから内側に折り返された部分からさらに本体部の一側端部側へと延びる延長調節片１４と、を有し、本体シート１２と延長調節片１４との境界部には、前記冊子の表表紙及び裏表紙の何れか他方Ｓ２が挿通可能な挿通孔１６が形成されると共に、本体シート１２の一側端部には、延長調節部１４の自由端部１４ａが挿通可能な第２挿通孔１８が形成され、延長調節部１４は、本体シートと冊子の表紙との間を通過して、自由端部１４ａが第２挿通孔１８を挿通する。【選択図】  図１
0003115329.tif 000002
【実用新案登録請求の範囲】
【請求項１】
冊子の表表紙及び裏表紙を覆う冊子カバーにおいて、
冊子の表表紙及び裏表紙の何れか一方の端縁が当接される固定折り返し部が一側端部に形成され、冊子の表表紙及び裏表紙の何れか他方の端縁が当接される可変折り返し部が他側端部に形成される本体部と、
可変折り返し部から内側に折り返された部分からさらに本体部の一側端部側へと延びる延長調節部と、を有し、
本体部と延長調節部との境界部には、前記冊子の表表紙及び裏表紙の何れか他方が挿通可能な挿通孔が形成されると共に、本体部の一側端部には、延長調節部の端部が挿通可能な第２挿通孔が形成され、
延長調節部は、本体部と冊子の表紙との間を通過して、その端部が第２挿通孔を挿通することを特徴とする冊子カバー。
【請求項２】
前記第２挿通孔は、固定折り返し部に形成されることを特徴とする請求項１記載の冊子カバー。
【請求項３】
前記延長調節部の前記第２挿通孔から挿通した端部は栞として機能することを特徴とする請求項１または２記載の冊子カバー。
【請求項４】
前記延長調節部の前記第２挿通孔から挿通した端部が冊子等に挟まれることにより、延長調節部によって形成される閉空間が物品保持用ホルダとして機能することを特徴とする請求項１ないし３のいずれか１項に記載の冊子カバー。
【考案の詳細な説明】
【技術分野】
【０００１】
本考案は、書籍、手帳、ノート、ホルダ等の冊子の表表紙及び裏表紙を覆う冊子カバーに関する。
【背景技術】
【０００２】
従来、書籍のように縦と横の寸法が同じであっても、厚さが様々なものがある場合には、同じサイズの冊子カバーでは十分に対応することができない、という問題がある。かかる問題を解決するためのものとして、例えば、特許文献１に記載されたブックカバーが知られている。特許文献１に記載されるブックカバーでは、本体シートの裏面の一端側に表表紙と裏表紙の何れか一方を挿入させるための表紙差込用ポケット部を設け、本体シートの裏面の途中位置に他方の表紙を挿通させるための表紙挿通用帯部を設け、また、本体シートの他端側に他方の表紙を越える部分を裏側に折り曲げて表紙挿通用帯部に差し込み、係止するための折り曲げ用余剰部を設けている。
【０００３】
【特許文献１】特開２００３−７２２６１号公報
【考案の開示】
【考案が解決しようとする課題】
【０００４】
しかしながら、上記特許文献１のブックカバーは、折り曲げ用余剰部を単に折り曲げて表紙挿通用帯部に差し込むために、その折り曲げ用余剰部の折り曲げが弛みやすく、結果として全体的に冊子カバーが書籍等にフィットせずに弛みがちになる、という問題がある。そのため、特許文献１のものは、表紙挿通用帯部と折り曲げ用余剰部との間の本体シートに折り曲げを容易にする薄肉線を複数本設けて折り曲げ用余剰部の折り曲げを補助しているが、その場合には、対応できる書籍の厚みが限定されてしまう、という問題がある。
【０００５】
本考案は、かかる課題に鑑みなされたもので、その目的は、様々な厚み寸法または横寸法の冊子に対応することができ、且つ、常に冊子にフィットさせることができて弛みの発生を防止することができる冊子カバーを提供することである。
【課題を解決するための手段】
【０００６】
前述した目的を達成するために、請求項１記載の考案は、冊子の表表紙及び裏表紙を覆う冊子カバーにおいて、
冊子の表表紙及び裏表紙の何れか一方の端縁が当接される固定折り返し部が一側端部に形成され、冊子の表表紙及び裏表紙の何れか他方の端縁が当接される可変折り返し部が他側端部に形成された本体部と、
可変折り返し部から内側に折り返された部分からさらに本体部の一側端部側へと延びる延長調節部と、を有し、
本体部と延長調節部との境界部には、前記冊子の表表紙及び裏表紙の何れか他方が挿通可能な挿通孔が形成されると共に、本体部の一側端部には、延長調節部の端部が挿通可能な第２挿通孔が形成され、
延長調節部は、本体部と冊子の表紙との間を通過して、その端部が第２挿通孔を挿通することを特徴とする。
【０００７】
第２挿通孔の位置は任意に設けることができるが、請求項２記載の考案は、請求項１記載の前記第２挿通孔が、固定折り返し部に形成されることを特徴とする。
【０００８】
請求項３記載の考案は、請求項１または２記載の前記延長調節部の前記第２挿通孔から挿通した端部が栞として機能することを特徴とする。
【０００９】
請求項４記載の考案は、請求項１ないし３のいずれか１項に記載の前記延長調節部の前記第２挿通孔から挿通した端部が冊子等に挟まれることにより、延長調節部によって形成される閉空間が物品保持用ホルダとして機能することを特徴とする。
【考案の効果】
【００１０】
本考案によれば、本体部と冊子の表紙との間を通過する延長調節部の第２挿通孔を挿通する長さを調節することで、冊子の厚み等の寸法に対応して可変折り返し部の折り返し位置が可変となる。延長調節部が、本体部と冊子の表紙との間で挟まれるために、ずれにくく、従って、常に冊子にフィットした状態で冊子を覆うことができるようになる。
【００１１】
請求項２記載の考案によれば、第２挿通孔を固定折り返し部に形成することで、冊子カバーの見栄えを悪化させることない。
【００１２】
請求項３記載の考案によれば、延長調節部の一部分を栞として有効利用することができる。請求項４記載の考案によれば、延長調節部の一部分を物品保持用ホルダとして有効利用することができる。
【考案を実施するための最良の形態】
【００１３】
以下、図面を用いて本考案の実施の形態を説明する。尚、本考案は下記実施形態に限定されるものではない。
【００１４】
図１は本考案の冊子カバーの実施形態を表す全体斜視図、図２はその全体展開斜視図、図３は全体展開平面図である。
【００１５】
この冊子カバー１０は、本体部を構成する本体シート１２と、延長調節部を構成する延長調整片１４の２部品から構成されているが、必ずしも部品点数はこれに限るものではなく、１つの部品から構成することも可能であり、または２以上の部品で構成することも可能である。また、その素材は、ポリプロピレン、ポリエチレン、塩化ビニル等の任意の合成樹脂から製造される軟質または硬質プラスチックシート、不織布を含む布、紙等の任意の素材から構成することができ、部品によって異なる素材が選択されてもよい。
【００１６】
本体シート１２の一側端部には、固定折り返し部１２ａが形成されており、内側に折り返されている。勿論、この固定折り返し部１２ａは、一体品の本体シートを内側に折り返すことで構成することも可能であるが、外側と内側とを別部品として構成して、縫製、溶着等により一体化したもので形成してもよい。固定折り返し部１２ａは、その位置がずれないように、内側に折り返された部分の上下縁が縫製、溶着等により外側の部分に固定されて、袋部１２ｃになっていると好ましい。そして、この袋部１２ｃに、冊子の表表紙または裏表紙が挿入可能となっており、固定折り返し部１２ａに、その挿入された冊子の表表紙または裏表紙の端縁が当接可能となっている。
【００１７】
本体シート１２の他側端部には可変折り返し部１２ｂが形成されるが、可変折り返し部１２ｂは、冊子の厚み等の寸法に応じてその折り返し位置が任意に変えられるものであり、よって図２及び３に示したような展開状態では、袋状などにはなっておらずシート状である。
【００１８】
本体シート１２の他側端部には、延長調節片１４の一端部が重ね合わされて、その上下縁が縫製、溶着等により固定される。よって、本体シート１２と延長調節片１４との境界部の本体シート１２と延長調節片１４の上下の固定された部分以外には挿通孔１６が形成される。挿通孔１６は、本体部と延長調整部との境界に形成されるものであって、図示の例のように、部品の異なる本体シート１２と延長調節片１４との間に設けるとよいが、これに限るものではなく、本体シート１２または延長調節片１４のいずれか一方に穿設した孔であってもよい。この挿通孔１６は、冊子の表表紙または裏表紙が挿通可能となっている。
【００１９】
延長調節片１４は、展開図において本体シート１２の他側端部から延長して伸びており、好ましくは、その自由端部１４ａは上下寸法が小さくなっている。
【００２０】
また、本体シート１２の固定折り返し部１２ａには、延長調節片１４の自由端部１４ａが挿通可能な第２挿通孔１８が形成されている。第２挿通孔１８の位置は、固定折り返し部１２ａ上に、またはその近傍に形成されているとよく、これにより、冊子カバー１０の外側の見栄えを良好にすることができる。
【００２１】
以上のように構成される冊子カバー１０を用いて、冊子である書籍を覆うブックカバーとして使用する場合には、図１及び図４に示すように、延長調節片１４を本体シート１２に重ねて、延長調節片１４の自由端部１４ａを第２挿通孔１８に挿通した状態において、延長調節片１４の上に書籍の背表紙Ｓ３を載せて、書籍Ｂの表表紙及び裏表紙の何れか一方Ｓ１を袋部１２ｃに挿入して、その端縁を固定折り返し部１２ａに当接させる。
【００２２】
同時に書籍Ｂの表表紙及び裏表紙の何れか他方Ｓ２を挿通孔１６に挿通させて、その端縁を可変折り返し部１２ｂに当接させる。延長調節片１４の第２挿通孔１８を挿通した自由端部１４ａの位置を適宜調節する。こうして、図５に示すように、書籍Ｂの厚み寸法または横寸法に応じて、当接される可変折り返し部１２ｂの位置が変わることとなる。
【００２３】
こうして調整された本考案の冊子カバー１０では、書籍Ｂの表表紙及び裏表紙の両方Ｓ１，Ｓ２の端縁が、それぞれ固定折り返し部１２ａと可変折り返し部１２ｂとに当接されるために、フィットした状態で書籍Ｂを覆うことができる。尚、本明細書及び請求の範囲において、端縁が当接するとは、厳密な意味で接触することを意味するものではなく、冊子が冊子カバー１０に対してフィット感を持って覆われた状態を保持するのに足る程度の隙間が両者に形成されることを含む意味である。
【００２４】
延長調節片１４は、書籍の表紙と本体シート１２との間を通過して両者に挟まれており、書籍との間または本体シート１２との間において大きな摩擦力を得ることができるために、滑りにくく、よって、延長調節片１４が移動しないため、可変折り返し部１２ｂが動かず、冊子カバー１０が書籍にフィットした状態を保持することができる。従って、弛みの発生を防止することができる。書籍等の冊子の厚み寸法が異なる場合だけでなく、横寸法が異なる場合においても、同様に、対応することができる。延長調節片１４は、冊子との間で大きな摩擦力を得ることができるように、本体シート１２との接触面の平滑度よりも、冊子との接触面の平滑度を低く設定することもできる。
【００２５】
延長調節片１４の第２挿通孔１８を挿通した自由端部１４ａは、図６に示したように、書籍の中に挟んで栞として使用することも可能であり、または、自由端部１４ａが書籍の中に挟まれた状態で延長調節片１４にできる閉空間２０は、ペンなどの物品を保持する挟む物品保持用ホルダとして使用することも可能である。
【図面の簡単な説明】
【００２６】
【図１】本考案の冊子カバーの実施形態を表す全体斜視図である。
【図２】図１の全体展開斜視図である。
【図３】図１の全体展開平面図である。
【図４】本考案の冊子カバーで書籍を覆った状態を表す全体斜視図である。
【図５】（ａ）（ｂ）は、厚さの異なる書籍を覆った状態を表す断面図である。
【図６】延長調節片の自由端部を栞として用いた場合の状態を表す断面図である。
【符号の説明】
【００２７】
１０  冊子カバー
１２  本体シート（本体部）
１２ａ  固定折り返し部
１２ｂ  可変折り返し部
１２ｃ  袋部
１４  延長調節片（延長調節部）
１４ａ  自由端部
１６  挿通孔
１８  第２挿通孔
２０  閉空間
【図１】
0003115329.tif 000003
【図２】
0003115329.tif 000004
【図３】
0003115329.tif 000005
【図４】
0003115329.tif 000006
【図５】
0003115329.tif 000007
【図６】
0003115329.tif 000008